(57)【特許請求の範囲】
【請求項１】
車両に搭載される車両用表示装置であって、
互いに並んで配置され、前記車両の状態量を前方に向けて表示する複数の状態量表示領域（２ａ，２ｂ）と、
前方に突出し、各前記状態量表示領域をそれぞれ個別に取り囲むように形成される複数の装飾部材（４０）と、
各前記状態量表示領域の間において画像を表示する画像表示パネル（３２）とを備え、
各前記装飾部材は、互いに対向する部分において発光する発光部（４２）と、
取り囲む前記状態量表示領域を挟んで前記発光部とは反対側において発光が前記発光部よりも規制される発光規制部（４４）と、を有し、
前記発光部及び前記発光規制部は、基材を透光性に形成し、前記発光部は、前記発光部のうち後方に位置する後面（４２ｂ）を通して後方からの光を前方へ透過させ、前記発光規制部は、後方からの光の透過を前記発光規制部のうち後方に位置する後面（４４ｂ）にて規制することを特徴とする車両用表示装置。
【請求項２】
前記装飾部材は、前記発光部の外周側において暗色の外壁部（４６）を有することを特徴とする請求項１に記載の車両用表示装置。
【請求項３】
前記状態量表示領域を照明する光源（２２）と、
前記光源から前記発光部への光を遮光する遮光部（３６，３８，４８）とを備えることを特徴とする請求項１又は２に記載の車両用表示装置。
【請求項４】
前記画像表示パネルは、各前記状態量表示領域の間から各前記装飾部材のうち、互いに対向する部分まで達することを特徴とする請求項１から３のいずれか１項に記載の車両用表示装置。
【請求項５】
前記発光部は、前記画像表示パネルの光を前方に透過させることで発光することを特徴とする請求項４に記載の車両用表示装置。
【請求項６】
前記発光部は、前記後面（４２ｂ）を前記画像表示パネルに接触していることを特徴とする請求項５に記載の車両用表示装置。
【請求項７】
前記画像表示パネルは、前記画像として、前記発光部を後方に投影した形状の照明用画像を表示することを特徴とする請求項５又は６に記載の車両用表示装置。
【請求項８】
前記画像表示パネルは、前記画像の色を運転条件に応じて変更することを特徴とする請求項５から７のいずれか１項に記載の車両用表示装置。
【発明の詳細な説明】
【技術分野】
【０００１】
本発明は、車両に搭載される車両用表示装置に関する。
【背景技術】
【０００２】
従来、車両に搭載される車両用表示装置が知られている。例えば、特許文献１に開示されている車両用表示装置は、互いに並んで配置され、車両の状態量を前方に向けて表示する複数の状態量表示領域と、前方に突出し、各状態量表示領域をそれぞれ個別に取り囲むように形成される複数の装飾部材と、各状態量表示領域の間から各装飾部材の後方まで達する画像表示パネルとを備えている。具体的に、各状態量表示領域では文字板が、透明な部材を露出させた指標としての目盛及び目盛数字と、遮光着色面とによる目盛部を形成している。また、画像表示パネルは、液晶表示部となっており、当該液晶表示部のうち液晶が封止されない非液晶部分を透過する光が文字板の目盛部の照明を行ない、さらに目盛部の光を受けて、装飾部材がリング状に照明される。
【先行技術文献】
【特許文献】
【０００３】
【特許文献１】特開２０１０−１２７８３２号公報
【発明の概要】
【発明が解決しようとする課題】
【０００４】
しかしながら、各状態量表示領域の間に画像表示パネルを設ける車両用表示装置において、画像表示パネルの表示スペースを確保しようとすると、複数の状態量表示領域が離れすぎて一体感を欠いてしまい、車両用表示装置の見栄えが十分ではないことが懸念される。このような状況において、特許文献１に開示の車両用表示装置では、目盛部の光を受けて、装飾部材がリング状に照明されるため、各装飾部材のうち互いに対向する箇所を十分に注目させることができない。この結果、一体感が十分得られないため、見栄えを改善することが十分にできなかった。
【０００５】
本発明は、以上説明した問題に鑑みてなされたものであって、その目的は、見栄えの良い車両用表示装置を提供することにある。
【課題を解決するための手段】
【０００６】
本発明は、車両に搭載される車両用表示装置であって、
互いに並んで配置され、車両の状態量を前方に向けて表示する複数の状態量表示領域（２ａ，２ｂ）と、
前方に突出し、各状態量表示領域をそれぞれ個別に取り囲むように形成される複数の装飾部材（４０）と、
各状態量表示領域の間において画像を表示する画像表示パネル（３２）とを備え、
各装飾部材は、互いに対向する部分において発光する発光部（４２）と、
取り囲む状態量表示領域を挟んで発光部とは反対側において発光が発光部よりも規制される発光規制部（４４）と、を有し、
発光部及び発光規制部は、基材を透光性に形成し、発光部は、発光部のうち後方に位置する後面（４２ｂ）を通して後方からの光を前方へ透過させ、発光規制部は、後方からの光の透過を発光規制部のうち後方に位置する後面（４４ｂ）にて規制することを特徴とする。
【０００７】
このような発明によると、各装飾部材の互いに対向する部分において、発光部が発光する。これによれば、前方に突出した各装飾部材のうち近い箇所同士が発光により注目を集めるので、視線がこの近い箇所に集中することで複数の状態量表示領域の離れすぎが意識されることを抑制することができる。したがって、見栄えが十分でない箇所への意識抑制による見栄えの良い車両用表示装置を提供することができる。
【０００８】
なお、括弧内の符号は、記載内容の理解を容易にすべく、後述する実施形態において対応する構成を例示するものに留まり、発明の内容を限定することを意図したものではない。
【図面の簡単な説明】
【０００９】
【図１】一実施形態における車両用表示装置の正面図である。
【図２】図１のII−II線断面図である。
【図３】図２の一部を拡大して示す拡大図であって、光源の光及び画像表示パネルの画像の光の進み方を模式的に示す図である。
【図４】一実施形態における車両用表示装置にて実施されるフローチャートである。
【図５】変形例１における図３に対応する図である。
【図６】変形例２における図２に対応する図である。
【発明を実施するための形態】
【００１０】
以下、本発明の一実施形態を図面に基づいて説明する。
【００１１】
図１に示す本発明の一実施形態による車両用表示装置１００は、車両に搭載され、座席と向かい合うインストルメントパネルに設置されている。車両用表示装置１００は、コンビネーションメータ１及び制御ユニット５等から構成され、これら要素１，５はケース部１０に収容されている。
【００１２】
車両用表示装置１００は、コンビネーションメータ１において、複数の状態量表示領域２ａ，２ｂ、及び画像表示領域３を備えている。
【００１３】
状態量表示領域２ａ〜ｂは、本実施形態では２つ設けられ、互いに左右に並んで配置され、それぞれが個別に装飾部材４０に取り囲まれた略円状の領域となっている。各状態量表示領域２ａ〜ｂでは、光源２２により照明された表示板２６に形成された指標２６ａを、指針２８が指示することにより、車両の状態量が前方に向けて表示される。特に本実施形態において、前方から見て左側の状態量表示領域２ａでは、状態量としての車速が表示され、右側の状態量表示領域２ｂでは状態量としてのエンジン回転数が表示される。
【００１４】
画像表示領域３は、各状態量表示領域２ａ〜ｂの間に配置され、画像表示パネル３２によって画像が前方に向けて表示される。ここで、画像は、車両の運転に必要な車両情報につきその種を固定して又は切り換えて報知するものであり、そうした車両情報としては、例えば燃費、冷却水温度、シフトチェンジ、道路交通情報、警報情報等が採用されている。
【００１５】
制御ユニット５は、図２に示されているが、ＣＰＵ及びメモリ等からなる電子回路であり、基板２０上に実装されている。ＣＰＵは、メモリに記憶されているコンピュータプログラムを実行することで、各種処理を実施可能となっている。制御ユニット５は、コンビネーションメータ１と電気的に接続されており、制御信号をコンビネーションメータ１に出力する。
【００１６】
ケース部１０は、後方ケース１２、見返し板１４、及び透明板１６を有している。後方ケース１２は、例えば合成樹脂により形成され、コンビネーションメータ１及び制御ユニット５を後方から覆うと共にこれら要素１，５を保持している。見返し板１４は、例えば遮光性を有する合成樹脂により形成され、車両用表示装置１００の外周輪郭に沿って前方に開口を有する筒状に形成されている。透明板１６は、例えばアクリル樹脂等の透光性樹脂により、見返し板１４の開口を塞ぐ板状に形成されることで、コンビネーションメータ１及び制御ユニット５を前方から覆っている。
【００１７】
ここで本実施形態における前方とは、車両用表示装置１００に対して座席に座る視認者が位置する方向を示しており、各表示領域２ａ〜ｂ，３から車両の状態量及び画像が前方に向けて表示されることで、視認者が表示された情報を視認することができる。また、後方とは、前方の反対方向を示す。
【００１８】
このような車両用表示装置１００が備える、基板２０、光源２２、表示板２６、指針２８、画像表示パネル３２、及び装飾部材４０について、図１〜３を用いつつ詳細に説明する。なお、これら光源２２、表示板２６、指針２８、及び装飾部材４０は、各状態量表示領域２ａ〜ｂに対応して複数（本実施形態では２つずつ）設けられている。
【００１９】
基板２０は、後方ケース１２と締結されることにより後方ケース１２の前方に配置され、例えばガラスエポキシ樹脂等の合成樹脂により板状に形成されている。基板２０は、制御ユニット５を実装すると共に、その前方側表面上に光源２２、及びステッピングモータ３０等を保持している。
【００２０】
各光源２２は、それぞれ基板２０上に配置され、前方に光を照射する発光素子である。特に本実施形態では、光源２２として発光ダイオードが採用されており、制御ユニット５を通して電源と接続されることで発光する。光源２２から照射された光は、特に図３に光の進み方を示すように、透光性樹脂により形成された導光板２４を介して表示板２６の後方に導光されてゆく。
【００２１】
各表示板２６は、一般的に文字板とも呼ばれており、透光性樹脂の板状基材に透光性の印刷層又は遮光性の印刷層が形成された平板であって、後方の導光板２４からの光を部分的に透過させることで、指標２６ａを表示可能となっている。本実施形態において、各表示板２６は、それぞれ対応する装飾部材４０の内周側において別個の円板状に形成されており、前方に露出している。画像表示パネル３２を露出させる開口を形成する枠板１８が、装飾部材４０の外周側において、例えば合成樹脂等により遮光性の板状に設けられているが、当該枠板１８と装飾部材４０とは別体となっている。
【００２２】
特に本実施形態では、透光性の印刷層が目盛２６ｂ及び文字２６ｃの形状をなすことで、指標２６ａとしての目盛２６ｂ及び文字２６ｃを発光表示することができる。このようにして光源２２により状態量表示領域２ａ〜ｂが照明される。
【００２３】
各指針２８は、それぞれ表示板２６の前方に配置される針状部材である。各指針２８は、制御ユニット５により制御されるステッピングモータ３０の駆動により、表示板２６の中央及び導光板２４等を貫通して設けられる回転軸２８ａの周りに回動するようになっている。各指針２８の先端が指標２６ａのうち目盛２６ｂを指示することで、上述のように車両の状態量が表示される。
【００２４】
導光板２４、及びステッピングモータ３０についても、各状態量表示領域２ａ〜ｂに対応して複数（本実施形態では２つずつ）設けられている。
【００２５】
画像表示パネル３２は、画像を表示する板パネル状の表示素子であり、表示する画像の色を変更可能となっている。特に本実施形態では、画像表示パネル３２として、薄膜トランジスタ（Thin Film Transistor、ＴＦＴ）を用いた液晶パネルであって、２次元方向に配列された複数の液晶画素から形成されるアクティブマトリクス型の液晶パネルが採用されている。画像表示パネル３２には、バックライト３４からの白色光（もしくは疑似白色光）が後方より照射される。そして、画像表示パネル３２と電気的に接続された制御ユニット５からの制御信号により、各液晶画素におけるバックライト３４からの光の透過率が制御されることで、画像を形成可能となっている。ここで、隣り合う液晶画素には、互いに異なる色（例えば、赤、緑、及び青）のカラーフィルタが設けられており、これらの組み合わせにより様々な色が再現される。このようにして形成された画像の光が前方に透過する。
【００２６】
画像表示パネル３２は、基板２０の前方において、各状態量表示領域２ａ〜ｂの間（すなわち画像表示領域３）から各表示板２６の後方まで達するように、基板２０及び各表示板２６と実質平行に配置されている。そして、画像表示領域３においては、画像表示パネル３２の表示部３２ａが前方に露出しているので、画像表示パネル３２が画像を直接的に前方に向けて表示可能となる。
【００２７】
なお、画像表示パネル３２は、表示する画像の色を変更可能であれば、他の方式のものが採用されてもよい。
【００２８】
装飾部材４０は、各状態量表示領域２ａ〜ｂに対応して複数設けられ、それぞれ表示板２６に対して前方に突出し、各状態量表示領域２ａ〜ｂをそれぞれ個別に取り囲むように形成されている。各装飾部材４０は、それぞれ、全体として略円環状を呈しており、互いに対向する箇所に設けられる発光部としての透過部４２、取り囲む状態量表示領域２ａ〜ｂを挟んで透過部４２とは反対側に設けられる発光規制部としての透過規制部４４、外壁部４６、及び内壁部４８を一体的に有している。
【００２９】
透過部４２及び透過規制部４４は、透光性樹脂からなる基材を主体として形成されている。透過部４２及び透過規制部４４のうち前方に位置する前面４２ａ，４４ａには、めっき層が、金属を蒸着させること等により形成されている。このめっき層は、薄膜状に形成されることで後方からの光の透過が可能となっている。
【００３０】
また、透過部４２及び透過規制部４４のうち一方の透過規制部４４では、当該透過規制部４４のうち後方に位置する後面４４ｂに黒色印刷がなされている。これにより、透過規制部４４は、後方からの光の透過を規制する。なお、後方からの光の透過を規制するものとして、印刷の代わりに、塗装が施されていてもよい。
【００３１】
他方の透過部４２では、当該透過部４２のうち後方に位置する後面４２ｂにおいて透光性樹脂からなる基材が光学的に露出している。これにより、透過部４２は、後方からの光を透過させる。
【００３２】
ここで透過部４２は、各装飾部材４０の後方まで達している画像表示パネル３２の前方に重複する部分を含んで設けられている。より詳細に、円弧状の透過部４２が画像表示パネル３２の前方に重複する部分のうち、画像表示が可能な表示部３２ａの前方に重複する一部分に設けられている。表示部３２ａの前方において、透過部４２の範囲（図１のドット範囲参照）は、上述した後面４２ｂ，４４ｂの黒色印刷の有無で設定されている。なお本実施形態では、上記構成に倣って図２，３では透過規制部４４にも透光性樹脂を示すハッチングが施されているが、あくまでも後面４２ｂ，４４ｂの黒色印刷の有無で透過部４２と透過規制部４４の範囲が決まるのである。
【００３３】
このように設けられた透過部４２は、後面４２ｂを画像表示パネル３２の表示部３２ａ表面に接触している。したがって、この接触箇所から前方に射出される画像表示パネル３２からの光は、透過部４２の後面４２ｂを通った後、前方に向かって透過部４２を透過する。すなわち、特に図３に光の進み方を示すように、透過部４２が画像表示パネル３２からの光によって照明され、発光する。一方、透過規制部４４では、画像表示パネル３２からの光が透過しないため、発光が規制されることとなる。
【００３４】
各外壁部４６は、各透過部４２の外周側において、暗色に形成されている。特に本実施形態では、画像表示領域３に隣接する外壁部４６の全域に黒色印刷がなされている。なお、印刷の代わりに透過部４２との二色成形によって外壁部４６を暗色に形成してもよい。
【００３５】
各内壁部４８は、各透過部４２の内周側において、暗色に形成されている。特に本実施形態では、状態量表示領域２ａ〜ｂに隣接する内壁部４８の全域に黒色印刷がなされている。なお、印刷の代わりに透過部４２との二色成形によって内壁部４８を暗色に形成してもよい。
【００３６】
また、車両用表示装置１００は、図２，３に示すように、遮光カバー３６、カバーバルブ３８を備えている。遮光カバー３６は、例えば合成樹脂等の遮光性材料により形成され、画像表示パネル３２及びバックライト３４を後方及び側方から覆っている。遮光カバー３６の端部は、後方からカバーバルブ３８に接触して、互いの隙間を塞いでいる。
【００３７】
カバーバルブ３８は、各状態量表示領域２ａ〜ｂに対応して複数（本実施形態では２つ）設けられ、例えば合成樹脂等の遮光性材料により形成され、表示板２６及び導光板２４の平板部２４ｂを後方から覆っている。ただし、カバーバルブ３８には、導光板２４の平板部２４ｂから光源２２に向かって突出する突出部２４ａを通す導光孔３８ａ、及び回転軸２８ａを通す貫通孔３８ｂが開けられている。カバーバルブ３８と遮光カバー３６の接触箇所は、導光孔３８ａ及び貫通孔３８ｂよりも画像表示パネル３２側に位置している。また、カバーバルブ３８の縁部は、内壁部４８に接触して、互いの隙間を塞いでいる。
【００３８】
このような遮光カバー３６及びカバーバルブ３８は、光源２２から透過部４２への光を遮光する遮光部として機能する。また、本実施形態では、内壁部４８が黒色印刷されているため、内壁部４８も遮光部の一部として機能する。
【００３９】
次に、車両用表示装置１００の制御ユニット５が画像表示パネル３２の画像を制御することによる透過部４２の照明について、図４に示すフローチャートを用いて説明する。
【００４０】
まず、ステップＳ１０では、運転条件として、スポーツモードであるか否かを判定する。ここで、スポーツモードとは、シフトチェンジ等の車両制御が通常モードから変更されることで、ドライバが車両の操作性をスポーティに楽しむことができるモードである。この判定は、例えば車両の制御装置から通信により制御ユニット５にモード情報としての信号が入力され、当該モード情報により判定される。ステップＳ１０にて肯定判定を下すと、ステップＳ３０に移る。ステップＳ１０にて否定判定を下すと、ステップＳ２０に移る。
【００４１】
ステップＳ２０では、他の運転条件として、現在のエンジン回転数が設定値以下であるか否かを判定する。この判定も、例えば車両の制御装置から通信により制御ユニット５に状態量の情報としての信号が入力され、当該状態量の情報により判定される。ステップＳ２０にて肯定判定を下すと、エンジン回転数と燃費との間に正の相関が認められる車両において、燃費状態の良好なエコ状態であるとみなして、ステップＳ３１へ移る。ステップＳ２０にて否定判定を下すと、ステップＳ３２へ移る。
【００４２】
スポーツモードである場合のステップＳ３０では、設定色が赤色の照明用画像を画像表示パネルに表示する。ここで、照明用画像は、透過部４２を後方に投影した形状に表示される。特に本実施形態では、画像表示パネル３２と後面４２ｂとの接触箇所において、後面４２ｂの輪郭に沿った形状に表示される。これにより、画像表示パネル３２の照明用画像の光が透過部４２を透過して、透過部４２は設定色の赤色に照明される。ステップＳ３０を以って一連の処理を終了する。
【００４３】
エコ状態とみなされた場合のステップＳ３１では、設定色が緑色の照明用画像を画像表示パネルに表示する。照明用画像の形状はステップＳ３０と同様であり、透過部４２は設定色の緑色に照明される。ステップＳ３１を以って一連の処理を終了する。
【００４４】
スポーツモード及びエコ状態が否定された場合のステップＳ３２では、設定色が青色の照明用画像を画像表示パネル３２に表示する。照明用画像の形状はステップＳ３０及びＳ３１と同様であり、透過部４２は設定色の青色に照明される。ステップＳ３２を以って一連の処理を終了する。
【００４５】
なお、選択される頻度が高いステップＳ３１及びＳ３２の場合では、設定色は例えば紫色、青色、緑色等の寒色系であることが好ましい。
【００４６】
以上のように、図４のフローチャートに基づいた処理が例えば設定時間毎に実施される。これにより、照明用画像の色が運転条件に応じて変更されて、透過部４２の照明色が変わる。また、画像表示パネル３２において各外壁部４６の間（すなわち画像表示領域３）では、必要な車両情報が画像として随時表示される。
【００４７】
（作用効果）
以上説明した本実施形態の作用効果を以下に説明する。
【００４８】
本実施形態によると、各装飾部材４０の互いに対向する部分において、発光部としての透過部４２が発光する。これによれば、前方に突出した各装飾部材４０のうち近い箇所同士が発光により注目を集めるので、視線がこの近い箇所に集中することで複数の状態量表示領域２ａ〜ｂの離れすぎが意識されることを抑制することができる。したがって、見栄えが十分でない箇所への意識抑制による見栄えの良い車両用表示装置１００を提供することができる。
【００４９】
本実施形態によると、各状態量表示領域２ａ〜ｂの間から各装飾部材４０の後方まで達し、画像表示パネル３２からの光が、当該画像表示パネル３２の前方に重複する部分を含んで設けられた透過部４２を透過する。これによれば、各装飾部材４０のうち近い箇所同士が照明により注目を集めるので、視線がこの近い箇所に集中することで複数の状態量表示領域２ａ〜ｂの離れすぎが意識されることを抑制することができる。さらに、画像表示パネル３２は表示する画像の色を運転条件に応じて変更可能となっているので、この照明色を変え、より注目を集め易くすることができるので、複数の状態量表示領域２ａ〜ｂの離れすぎの意識抑制効果が高まる。以上により、見栄えが十分でない箇所への意識抑制による見栄えの良い車両用表示装置１００を提供することができる。
【００５０】
また、本実施形態によると、透過部４２は、後面４２ｂを画像表示パネル３２に接触している。これによれば、装飾部材４０における画像表示パネル３２との接触箇所からの光が直接的に効率よく透過部４２に達するので、透過部４２の輝度を高め、所望の照明色を実現し易くなる。したがって、車両用表示装置１００の見栄えが良くなる。
【００５１】
また、本実施形態によると、装飾部材４０は、透過部４２の外周側において暗色の外壁部４６を有する。これによれば、各装飾部材４０間における画像表示パネル３２の表示光が、外壁部４６を通して透過部４２に侵入することが抑制されるので、所望の照明色の実現性が高まる。したがって、車両用表示装置１００の見栄えが良くなる。
【００５２】
また、本実施形態によると、画像表示パネル３２は、透過部４２を後方に投影した形状の照明用画像を表示する。これによれば、照明用画像が装飾部材４０で隠れるので、直接視認されることを抑制すると共に、透過部４２の輝度を高めることができる。したがって、車両用表示装置１００の見栄えが良くなる。
【００５３】
また、本実施形態によると、状態量表示領域２ａ又は２ｂを照明する光源２２と、当該光源２２から透過部４２への光を遮光する遮光部としての遮光カバー３６，カバーバルブ３８，及び内壁部４８とを備える。これによれば、光源２２からの光が透過部４２を透過することで画像表示パネル３２からの光と混ざる事態が、抑制されるので、所望の照明色の実現性が高まる。したがって、車両用表示装置１００の見栄えが良くなる。
【００５４】
（他の実施形態）
以上、本発明の一実施形態について説明したが、本発明は、当該実施形態に限定して解釈されるものではなく、本発明の要旨を逸脱しない範囲内において種々の実施形態に適用することができる。
【００５５】
具体的に変形例１としては、図５に示すように、さらにカバーバルブ３８には、画像表示パネル３２の前方及び指標２６ａの後方において、画像表示パネル３２からの画像の光を当該指標２６ａに向けて透過させる透光孔３８ｃが開けられていてもよい。このような配置及び構成によって、表示板２６のうち、画像表示パネルと重なる箇所においては、光源２２の光に加えて、画像表示パネル３２の画像の光が導光板２４を介して表示板２６に入射し、透光性の印刷層に対応する指標２６ａを透過することとなる。これにより、指標２６ａのうち透過部４２に近い箇所の指標２６ａの照明色を変え、より注目を集め易くすることができる。
【００５６】
変形例２としては、図６に示すように、画像表示パネル３２よりも前方に配置されると共に、各装飾部材４０の外壁部４６の間に挟まれて配置され、状態量表示領域２ａ〜ｂの並び方向に画像を拡大するレンズ部材５０とを備えていてもよい。
【００５７】
変形例３としては、画像表示パネル３２は、透過部４２を後方に投影した形状以外の照明用画像を表示してもよい。この例として、内壁部４８よりも内周側の状態量表示領域２ａ又は２ｂと重なる箇所に照明用画像がはみ出しても、照明用画像が表示板２６及びカバーバルブ３８で隠れるので、直接視認されることを抑制することができる。また、照明用画像が外壁部４６よりも外周側にはみ出しても、透過部４２の照明を行なうことは可能である。
【００５８】
変形例４としては、外壁部４６において、透光性樹脂からなる基材が露出していてもよい。
【００５９】
変形例５としては、例えばめっき層の厚みに差を設けること等により、透過規制部４４の前面４４ａにおけるめっき層の透過率を、透過部４２の前面４２ａにおけるめっき層の透過率よりも小さくしてもよい。この場合、透過規制部４４の後面４４ｂに黒色印刷をしなくても、後方からの光の透過を透過部４２よりも規制することができる。
【００６０】
変形例６としては、画像表示パネル３２は、各状態量表示領域２ａ〜ｂの間から状態量表示領域２ａ〜ｂの後方まで達していなくてもよい。
【００６１】
変形例７としては、各装飾部材４０は、互いに対向する部分において発光する発光部として、画像表示パネル３２の光を透過することで照明される透過部４２以外に、例えば発光部内部に光源が配置されることで自己発光するものを採用してもよい。この例において、画像表示パネル３２は、各状態量表示領域２ａ〜ｂの間において画像を表示するものであれば、各状態量表示領域２ａ〜ｂの間から各装飾部材４０のうち、互いに対向する部分まで達していなくてもよい。
【符号の説明】
【００６２】
１００  車両用表示装置、２ａ，２ｂ  状態量表示領域、２２  光源、３２  画像表示パネル、３６  遮光カバー、３８  カバーバルブ、４０  装飾部材、４２  透過部（発光部）、４２ｂ  後面、４４  透過規制部（発光規制部）、４６  外壁部、４８  内壁部
【図１】
0006330627.tif 000002
【図２】
0006330627.tif 000003
【図３】
0006330627.tif 000004
【図４】
0006330627.tif 000005
【図５】
0006330627.tif 000006
【図６】
0006330627.tif 000007